(57)【要約】【課題】複数のＭＥＭＳ構造物が配列形成されたウエハの、ＭＥＭＳ構造物を個別のチップに分割するダイシングに用いられる新規なダイシング用シートを実現する。【解決手段】ダイシング用シートは、複数のＭＥＭＳ構造物が配列形成されたウエハの、ＭＥＭＳ構造物を個別のチップに分割するダイシングに用いられるダイシング用シートであって、少なくとも一方の表面は、粘着性を有するとともに、ＭＥＭＳ構造物に相当する部分ＯＰは非粘着性であり、シート面に平行な方向へ伸びることが可能である。【選択図】図２
2017076791.tif 000002
【特許請求の範囲】
【請求項１】
複数のＭＥＭＳ構造物が配列形成されたウエハの、前記ＭＥＭＳ構造物を個別のチップに分割するダイシングに用いられるダイシング用シートであって、  
少なくとも一方の表面は、粘着性を有するとともに、前記ＭＥＭＳ構造物に相当する部分は非粘着性であり、
シート面に平行な方向へ伸びることが可能であるダイシング用シート。
【請求項２】
請求項１記載のダイシング用シートであって、
２種以上のフィルムが重なって単一のシートとして一体化し、  
前記シートの一方の面をなす表側フィルムは、表面側が前記ウエハに粘着する粘着性を有し、前記シートの他方の面をなす裏側フィルムは、面法線方向の粘着力が０または小さく、
前記表側フィルムは、前記ＭＥＭＳ構造物に相当する部分が、前記裏側フィルムの部分まで開口された開口部を有するダイシング用シート。
【請求項３】
請求項２記載のダイシング用シートであって、
前記表側フィルムと前記裏側フィルムとの２枚のフィルムが重なって単一のシートに一体化し、
前記表側フィルムは、フィルム基材の表面側に粘着剤層を有し、  
前記裏側フィルムは自己粘着性であり、該自己粘着性により前記表側フィルムの裏面に
弱く粘着して前記表側フィルムと一体化しているダイシング用シート。
【請求項４】
請求項２記載のダイシング用シートであって、
前記表側フィルムと前記裏側フィルムとの２枚のフィルムが重なって単一のシートに一
体化し、
前記表側フィルムは、フィルム基材の両面に粘着剤層を有し、  
前記裏側フィルムは粘着性がなく、前記表側フィルムの裏面側の前記粘着剤層の粘着性
により該表側フィルムの裏面側に粘着して一体化しているダイシング用シート。
【請求項５】
請求項１記載のダイシング用シートであって、
前記ウエハに粘着する側の面に、シート状のマスキング部材が一体化して設けられて前記非粘着性である部分をなし、
前記マスキング部材が、シート面に平行な方向へ伸びることが可能であるダイシング用シート。
【請求項６】
請求項５記載のダイシング用シートであって、
前記マスキング部材の伸縮性が、前記マスキング部材以外の部分の伸縮性より大きいダイシング用シート。
【請求項７】
請求項５または６に記載のダイシング用シートであって、
前記マスキング部材がテープ片状であるダイシング用シート。
【請求項８】
請求項２〜４の何れか１項に記載のダイシング用シートを製造する方法であって、
前記表側フィルムを用意する表側フィルム用意工程と、
前記表側フィルムの、前記ＭＥＭＳ構造物に相当する部分を開口して貫通させる開口形成工程と、
前記裏側フィルムを用意する裏側フィルム用意工程と、
前記表側フィルムと前記裏側フィルムとを重ね、単一のシートとして一体化する一体化工程と、を有するダイシング用シートの製造方法。
【請求項９】
複数のＭＥＭＳ構造物が配列形成されたウエハの、前記ＭＥＭＳ構造物を個別のチップに分割するダイシング処理方法であって、
請求項１〜７の何れか１項に記載のダイシング用シートを用意するダイシング用シート用意工程と、
複数のＭＥＭＳ構造物が配列形成されたウエハを用意するウエハ用意工程と、
用意された前記ウエハの前記ＭＥＭＳ構造物が配列された面に、前記ＭＥＭＳ構造物が前記ダイシング用シートの前記非粘着性である部分に合致するように前記ダイシング用シートを粘着により貼り付けるダイシング用シート貼り付け工程と、
前記ウエハの、前記ダイシング用シートを貼り付けられた側と逆の側から、ダイシングを行うダイシング工程と、
該ダイシング工程後に前記ダイシング用シートをエキスパンドして、前記ダイシング用シート上で個々のＭＥＭＳ構造物を分離するエキスパンド工程と、
前記ダイシング用シート上で、分離したＭＥＭＳ構造物をチップとしてピックアップするピックアップ工程と、を有するダイシング処理方法。
【請求項１０】
請求項９記載のダイシング処理方法であって、
ダイシング工程をステルスダイシングで行うダイシング処理方法。
【発明の詳細な説明】
【技術分野】
【０００１】
この発明は、ダイシング用シートおよびその製造方法およびダイシング処理方法に関する。
【背景技術】
【０００２】
近来、種々のＭＥＭＳ（Micro Electro Mechanical Systems）構造物が実用化され、普及しつつある。
【０００３】
ＭＥＭＳ構造物は、一般に、「シリコンウエハ等（以下、単に「ウエハ」と言う）」に、複数のＭＥＭＳ構造物を配列形成し、これらをダイシング処理により個々のＭＥＭＳ構造物にチップ化して製造する。
【０００４】
ダイシング処理は、複数のＭＥＭＳ構造物が配列形成されたウエハの片面にダイシング用シートを粘着力により貼り付け、他方の面から個々のＭＥＭＳ構造物の分割を行う。この分割後、ダイシング用シートを引き延ばすことにより、個々のＭＥＭＳ構造物を分離する。しかる後に、分離した個々のＭＥＭＳ構造物を独立して取り出す。
【０００５】
「ダイシング用シートを引き延ばして、個々のＭＥＭＳ構造物を分離する工程」は「エキスパンド工程」と呼ばれる。エキスパンド工程後の「分離した個々のＭＥＭＳ構造物を独立して取り出す工程」は「ピックアップ工程」と呼ばれる。
【０００６】
また「個々のＭＥＭＳ構造物を分割する工程」は「ダイシング工程（あるいは単に「ダイシング」）」と呼ばれる。  
ダイシング工程を実行する方法としては、ダイヤモンドソー等の「ダイシングソー」を用いて切断する方法、レーザビームを用いる「レーザダイシング」や「ステルスダイシング」等、種々の方式のものが広く知られている。
【０００７】
従来のダイシング方式では、ダイシング用シートは、ウエハの裏面側、即ち「ＭＥＭＳ構造物の形成されていない面」に貼り付けられて用いられている（特許文献１等）。
【０００８】
しかし、ＭＥＭＳ構造物は、ウエハの両面に形成されることもあるし、ＭＥＭＳ構造物が「ウエハを貫通する部分」を有して形成されることもある。  
このような場合、従来方式の如く「ダイシング用シートをウエハの片面に張り付ける」と、ダイシング用シートはＭＥＭＳ構造物に直接的に粘着してしまう。  
そうすると、エキスパンド工程やピックアップ工程において、ダイシング用シートの粘着力がＭＥＭＳ構造物に作用し、ＭＥＭＳ構造物の機能低下の原因となったり、場合によっては、ＭＥＭＳ構造物が破壊されたりすることがある。
【０００９】
このようなＭＥＭＳ構造物の機能低下や破壊は、ＭＥＭＳ構造物のチップ製造の「歩留まり」に影響する。
【発明の概要】
【発明が解決しようとする課題】
【００１０】
この発明は、ウエハに配列形成された複数のＭＥＭＳ構造物を、個別のチップに分割するダイシングに用いられる新規なダイシング用シートの実現を課題とする。
【課題を解決するための手段】
【００１１】
この発明のダイシング用シートは、複数のＭＥＭＳ構造物が配列形成されたウエハの、前記ＭＥＭＳ構造物を個別のチップに分割するダイシングに用いられるダイシング用シートであって、少なくとも一方の表面は、粘着性を有するとともに、前記ＭＥＭＳ構造物に相当する部分は非粘着性であり、シート面に平行な方向へ伸びることが可能である。
【発明の効果】
【００１２】
この発明によれば、新規なダイシング用シートを実現できる。
【図面の簡単な説明】
【００１３】
【図１】ダイシング処理を行うウエハの１例を説明するための図である。
【図２】ダイシング用シートを説明するための図である。
【図３】ダイシング用シートの製造方法を説明するための図である。
【図４】ダイシング処理方法を説明するための図である。
【図５】ダイシング用シートにおける開口部を説明するための図である。
【図６】ダイシング用シートの別例を説明するための図である。
【図７】ダイシング用シートの他の例を説明するための図である。
【図８】ＭＥＭＳ構造物とダイシング用シートとの関係の例を説明するための図である。
【発明を実施するための形態】
【００１４】
以下、実施の形態を説明する。  
ダイシング用シートについて説明する前に、ウエハとＭＥＭＳ構造物について、例を挙げて説明する。  
図１（ａ）において、符号１００はウエハを示す。ウエハ１００は「シリコンウエハ」で、薄い円板状であり、図示の如く多数のＭＥＭＳ構造物ＭＳが配列形成されている。  
多数のＭＥＭＳ構造物ＭＳは、同一構造である。  
図１（ａ）は、ウエハを説明するための説明図であり、描かれた「ＭＥＭＳ構造物ＭＳの個数や、形状、大きさ」は実際のものとは必ずしも一致しない。  
ＭＥＭＳ構造物ＭＳは種々の構造が可能で、特に限定されないが、１例として「２軸偏向型の偏向ミラー」を説明する。
【００１５】
図１（ｂ）に符号ＭＳにより、１個の２軸偏向型の偏向ミラーを示している。  
偏向ミラーＭＳは、小型のミラーＭＬを互いに直交する２軸を搖動軸として搖動させ、ミラーＭＬに照射される光ビームを「２次元的に偏向」させるものであり、ヘッドアップディスプレイ等の「画像表示部」に向けて光を偏向する手段として用いられる。  
図１（ｂ）に示す偏向ミラーＭＳを簡単に説明すると、小型のミラーＭＬは軸ｊ１により内枠ＣＡに連結し、内枠ＣＡは軸ｊ２により外枠ＣＢに連結している。  
ミラーＭＬ、軸ｊ１、ｊ２、内枠ＣＡ、外枠ＣＢは、半導体プロセスにより、ウエハ１００に「同一構造のＭＥＭＳ構造物ＭＳ」として多数配列形成されている。  
図１（ａ）の如く配列形成された多数のＭＥＭＳ構造物ＭＳを、後述するダイシング処理により個々のＭＥＭＳ構造物に分離してチップ化したものが、例えば、図１（ｂ）に示す如き偏向ミラーである。
【００１６】
図１（ｂ）に例示する偏向ミラーは「軸ｊ１を除くミラーＭＬと内枠ＣＡの間」、「軸ｊ２を除く内枠ＣＡと外枠ＣＢの間」が、ウエハ１００を厚み方向に貫通している。  
即ち、説明中の例では、ＭＥＭＳ構造物ＭＳが「ウエハを貫通する部分」を有して形成されている。
【００１７】
以下、図１に即して説明した例に即して説明する。  
図２に即して、ダイシング用シートの実施の１形態を説明する。  
この発明のダイシング用シートは「２種以上のフィルムが重なって単一のシートとして一体化」した構造を有する。  
以下には、２種のフィルムを一体化した構造のものを実施の形態例として説明する。
【００１８】
図２（ａ）は、ダイシング用シートを構成する２種のフィルムのうち「表側フィルム」を示し、同図（ｂ）は「裏側フィルム」を示している。  
表側フィルムＦＵと裏側フィルムＦＬとは重なり合い、一体化してダイシング用シートを構成する。
【００１９】
表側フィルムＦＵ、裏側フィルムＦＬは、種々のものが使用可能である。  
表側フィルムＦＵと裏側フィルムＦＬが一体化した単一のシートは、シートの片面が表側フィルムＦＵの面で、他方の面が裏側フィルムＦＬの面である。これらシートの両面のうち、表側フィルムＦＵによる面は「ウエハに貼り付けられる面」であり、この面の側を「表側フィルムＦＵの表面側」と呼び、表側フィルムＦＵの表面側と逆の側は「裏面側」と呼ぶ。  
即ち、裏側フィルムＦＬは表側フィルムＦＵの裏面側に貼り付いている。  
裏側フィルムＦＬは面法線方向に「０または小さい粘着力」を持つ。「小さい粘着力」については後述する。  
表側フィルムＦＵと裏側フィルムＦＬを一体化する力としては「粘着力」を利用する。
【００２０】
「粘着の態様」としては以下の組み合わせが考えられる。  
イ．表側フィルムＦＵは両面に粘着性を有し、裏側フィルムＦＬは面法線方向の粘着力が０であり、裏側フィルムＦＬは表側フィルムＦＵの裏面側の粘着力により、表側フィルムＦＵと一体化する。  
ロ．表側フィルムＦＵは両面に粘着性を有し、裏側フィルムＦＬは面法線方向の粘着力が小さく、裏側フィルムＦＬは表側フィルムＦＵの裏面側の粘着力により、表側フィルムＦＵと一体化する。  
ハ．表側フィルムＦＵは、表面側に粘着性を有し、裏面側には粘着性を持たない（あるいは、粘着力が小さい）。裏面フィルムＦＬは、面法線方向に弱い粘着力を持ち、この弱い粘着力により、表側フィルムＦＵに粘着して一体化する。  
表側フィルムＦＵと裏側フィルムＦＬが単一のシートとして一体化してなるダイシング用シートは「シート面に平行な全方向」へ引き伸ばし可能である。從って、表側フィルム・裏側フィルム共に、フィルム面に平行な全方向に引き伸ばし可能である。
【００２１】
「引き延ばせる程度」は、後述するダイシング処理におけるエキスパンド工程が可能な程度であればよい。
【００２２】
表側フィルムＦＵと裏側フィルムＦＬとしては、必ずしも新しい素材を必要とせず、従来から知られている各種のフィルム状素材を組み合わせて用いることができる。  
表側フィルムＦＵとしては、従来から「ダイシングテープ」等の商品名で市販されている各種の素材を用いることができる。これら市販のダイシングテープで、片面のみに粘着性を持つものは、上記「ハ」の組み合わせにおける表側フィルムとして用いることができる。
【００２３】
また、市販のダイシングテープで、両面に粘着性を持つものは、上記「イやロ」の組み合わせにおける表側フィルムとして用いることができる。  
特許文献１には、ポリ塩化ビニル等のシートの片面に、ゴム系、アクリル系、シリコーン系、ポリビニルエーテル等の粘着剤や紫外線硬化型粘着剤の層を形成した「ステルスダイシング用粘着シート」が種々開示されている。  
特許文献１に開示された種々の「ステルスダイシング用粘着シート」は、この発明のダイシング用シートの「表側フィルム」として好適に使用可能である。
【００２４】
図２（ａ）に示す表側フィルムＦＵは、開口部ＯＰを形成されている。開口部ＯＰについては後述する。  
図２（ｂ）に示す裏側フィルムＦＬは、前述の如く、表側フィルムＦＵの裏面側に粘着して表側フィルムＦＵと単一のシートとして一体化し、該シートの裏側面をなす。  
裏側フィルムＦＬは、上記の如く「面法線方向の粘着力が０」であるもの（換言すれば、この場合は裏側フィルム自体が全く粘着性を持たない場合である。）や、「面法線方向の粘着力が小さい」ものが使用可能である。  
面法線方向の粘着性が０である裏側フィルム（上記「イ」の場合）としては、例えば、ポリ塩化ビニルフィルム等を適宜用いることができる。  
面法線方向に弱い粘着力を持つ裏側フィルム（上記「ロ」、「ハ」の場合）としては、自己粘着テープ、自己粘着シート等の商品名で市販されているもので、面法線方向の粘着力が小さく、「面に平行な全方向」へ引き伸ばし可能であるものを適宜使用できる。
【００２５】
市販の自己粘着テープの具体的な１例としては「株式会社ＡＫＳ製の自己粘着テープ」を挙げることができる。該自己粘着テープは、フィルム状のコア層の片面に粘着層、他面に裏面層を形成した構成で、粘着層の側が「面法線方向に粘着力」を有する。  
自己粘着テープにおける「粘着層」は粘着剤の層ではなく、「自己粘着性」を有する層であり、粘着・剥離を自在に行うことができ、剥離後に「糊残り」が生じることもない。  面法線方向の粘着力は弱いので、剥離も容易である。また、粘着力は「粘着層の組成・物性等」により調整できることが知られている。  
從って、粘着層による「面法線方向の粘着力」を調整することにより、裏側フィルムに要求される「面法線方向の小さい粘着力」を容易に実現できる。  
なお、自己粘着テープは、貼り付け面に平行な方向においては「大きな粘着力」を発揮する。
【００２６】
ここで「裏側フィルム」に要求される「面法線方向の小さい粘着力」につき説明すると、この場合の「小さい粘着力」は、ウエハに形成されたＭＥＭＳ構造物の「機械的な強度」に応じて設定される。  
前述の如く「ダイシング用シートがＭＥＭＳ構造物に直接的に粘着」する場合、エキスパンド工程やピックアップ工程の際に、ダイシング用シートの粘着力がＭＥＭＳ構造物に作用する。  
この粘着力の作用が、ＭＥＭＳ構造物の「機能低下や破壊」を齎すことがあるが、ＭＥＭＳ構造物に作用する「面法線方向の粘着力」を小さくすることにより、このような「機能低下や破壊」を回避できる。
【００２７】
この発明のダイシング用シートの裏側フィルムの面法線方向の粘着力が「小さい」とは、以下の如き意味である。  
即ち、仮に、裏側フィルムの表面が「ＭＥＭＳ構造物」に直接粘着した場合に、該表面をＭＥＭＳ構造物から剥離する際に「ＭＥＭＳ構造物の機能低下や破壊を齎すような大きな力」が作用しないという条件が満足される大きさの粘着力である。  
図１（ｂ）に即して説明したＭＥＭＳ構造物ＭＳである「偏向ミラー」は、軸ｊ１、ｊ２等の「応力が集中し易い」部分があり、外部から作用する機械力により変形や破壊が生じやすい。  
このような場合、裏側フィルムの有する粘着性は十分に小さく設定する必要がある。
【００２８】
図２（ａ）に戻ると、表側フィルムＦＵには、開口部ＯＰが複数形成されている。これら開口部ＯＰは、表側フィルムＦＵを厚み方向に「貫通」している。  
即ち、表側フィルムＦＵは、裏側フィルムＦＬの部分まで開口された開口部ＯＰを有する。図２（ａ）に示す例では、複数の開口部ＯＰは「図の左右方向に長い矩形状」で、互いに平行に配列形成されている。  
図２（ｃ）は、表側フィルムＦＵと裏側フィルムＦＬを重ねて一体化したダイシング用シートＳＤを示す。表側フィルムＦＵに形成された開口部ＯＰが、表側フィルムＦＵを厚み方向に貫通しているので、開口部ＯＰの部分で、裏シートＦＬの面が見えている。
【００２９】
図２（ｄ）と（ｅ）に、ダイシング用シートの構造の２例を示す。図２（ｄ）、（ｅ）は何れも、図２（ｃ）の「Ｄ−Ｄ断面」を示す図である。  
図２（ｄ）は、上記「ハ」の粘着態様の例であり、表側フィルムＦＵは、表面側に粘着性を有し、裏面側には粘着性を持たない。裏面フィルムＦＬは、面法線方向に弱い粘着力を持ち、この弱い粘着力により、表側フィルムＦＵに粘着して一体化している。  
表側フィルムＦＵは、具体的には、例えば「ポリ塩化ビニル等のシートの片面に、粘着剤の層を形成した構成」のものであり、裏面側は接着力を持たない。
【００３０】
裏側フィルムＦＬは、表側フィルムＦＵに粘着する側が「法線方向に小さい粘着力」を有し、この法線方向の小さい粘着力により表側フィルムＦＵに粘着している。  
この場合の裏側フィルムＦＬは、具体的には、上に説明した自己粘着テープを用いることができる。図示の如く、表側フィルムＦＵに形成された開口部ＯＰは、裏側フィルムＦＬの部分まで開口されている。この開口部ＯＰの底面をなす裏側フィルムＦＬの表面の部分は「法線方向に小さな粘着力」を有するのみである。
【００３１】
図２（ｅ）に例を示すダイシング用シートＳＤ１は、表側フィルムＦＵ１と裏側フィルムＦＬ１とを重ねて一体化した構成のものである。  
表側フィルムＦＵ１は、フィルム基材ＢＳの表面側に粘着剤層ＡＤ２が形成され、裏面側には粘着剤層ＡＤ１が形成されている。  
裏側フィルムＦＬ１は粘着性を持たず（面法線方向の粘着力が０である。）、表側フィルムＦＵ１の粘着剤層ＡＤ１の粘着力により表側フィルムＦＵ１に粘着して一体化している。裏側フィルムＦＬ１は、例えば、ポリ塩化ビニルのシートを用いることができる。
【００３２】
表側フィルムＦＵ１に形成された開口部ＯＰは、図示の如く、表側フィルムＦＵ１の粘着剤層ＡＤ２、フィルム基材ＢＳ、粘着剤層ＡＤ１を貫通している。この開口部ＯＰの底部をなす裏側フィルムＦＬ１の表面は粘着力を持たない。
【００３３】
表側フィルムＦＵ１の芯材フィルムＢＳの両面に形成された粘着剤層ＡＤ１、ＡＤ２は、ゴム系、アクリル系、シリコーン系、ポリビニルエーテル等の粘着剤で形成することができる。また、これら粘着剤層ＡＤ１、ＡＤ２は「エネルギ線硬化性」のものを粘着剤として形成することもできる。
【００３４】
即ち、図２に即して説明したダイシング用シートＳＤ、ＳＤ１は、複数のＭＥＭＳ構造物ＭＳが配列形成されたウエハ１００の、ＭＥＭＳ構造物ＭＳを個別のチップに分割するダイシングに用いられるダイシング用シートであって、２種以上のフィルムが重なって単一のシートとして一体化し、シートの一方の面をなす表側フィルムＦＵは、表面側がウエハに粘着する粘着性を有し、シートの他方の面をなす裏側フィルムＦＬは、面法線方向の粘着力が０または小さく、表側フィルムＦＵは、ＭＥＭＳ構造物に相当する部分が、裏側フィルムＦＬの部分まで開口され、シート全体として、シート面に平行な全方向へ引き伸ばし可能である。
【００３５】
また、図２（ｄ）に示すダイシング用シートＳＤは、表側フィルムＦＵと裏側フィルムＦＬとの２枚のフィルムが重なって単一のシートに一体化し、表側フィルムＦＵは、フィルム基材の表面側に粘着剤層を有し、裏側フィルムＦＬは自己粘着性であり、自己粘着性により表側フィルムＦＵの裏面に弱く粘着して表側フィルムＦＵと一体化している。
【００３６】
図２（ｅ）に示すダイシング用シートＳＤ１は、表側フィルムＦＵ１と裏側フィルムＦＬ１との２枚のフィルムが重なって単一のシートに一体化し、表側フィルムＦＵ１は、フィルム基材ＢＳの両面に粘着剤層ＡＤ１、ＡＤ２を有し、裏側フィルムＦＬ１は粘着性がなく、表側フィルムＦＬ１の裏面側の粘着剤層ＡＤ１の粘着性により表側フィルムＦＵ１の裏面側に粘着して一体化している。
【００３７】
なお、表側フィルムＦＵ、裏側フィルムＦＬは、これらが単一層構造であるか複数層構造であるかを問わず、その厚さは、例えば、４０〜９０μｍ、好ましくは５０〜８０μｍ程度が良い。また「粘着剤層の厚み」は、例えば１〜１５μｍ、好ましくは２〜１０μｍ、より好ましくは３〜８μｍ程度が良い。
【００３８】
図２に即して説明したダイシング用シートＳＤの製造方法を、以下に、図３を参照して説明する。  
ダイシング用シートの製造方法は、図３（ｅ）に示すように開始：Ｓ１から終了：Ｓ６まで６ステップを有し、開始：Ｓ１と終了Ｓ６との間に、４つの工程：Ｓ２〜Ｓ５を有する。これら４工程は、表側フィルム用意工程：Ｓ２、開口形成工程：Ｓ３、裏側フィルム用意工程：Ｓ４、一体化工程：Ｓ５である。  
表側フィルム用意工程：Ｓ２は「表側フィルムＦＵ（図３（ａ））を用意する工程」である。
【００３９】
開口形成工程：Ｓ３は「表側フィルム用意工程：Ｓ２で用意された表側フィルムＦＵに開口部ＯＰ（図３（ｂ））を形成する工程」である。  
裏側フィルム用意工程：Ｓ４は「裏側フィルムＦＬ（図３（ｃ））を用意する工程」である。
【００４０】
一体化工程：Ｓ５は「開口形成工程：Ｓ３で開口部ＯＰを形成された表側フィルムＦＵ（図３（ｂ）と、裏シート用意工程：Ｓ４で用意された裏シートＦＬ（図３（ｃ））とを重ねて一体化する工程）」である。
【００４１】
なお、表側フィルム用意工程：Ｓ２、開口形成工程：Ｓ３、裏側フィルム用意工程：Ｓ４は、上記順序に限らず、Ｓ２、Ｓ４、Ｓ３の順で行ってもよいし、Ｓ４、Ｓ２、Ｓ３の順で行ってもよい。  
開口部ＯＰについては後述するが、開口形成工程：Ｓ３で実施される「開口部ＯＰの形成」は、刃物による切断、金型によるパンチング抜き、レーザカット、ウォータージェットカットなど、既存の適宜の切断法で実施できる。  
一体化工程：Ｓ５の実施は、開口部ＯＰを構成された表側フィルムＦＵと裏側フィルムＦＬを重ねて、適度の圧接力で互いに圧接させ、両フィルムの接触面に作用する粘着力により、両フィルムを一体化するのみで足りる。その結果、図３（ｄ）に示す如きダイシング用シートＳＤが得られる。
【００４２】
次に、ダイシング処理方法の実施の１形態を、図４を参照して説明する。  
ここで説明するのは、図１に即して説明した、偏向ミラーをＭＥＭＳ構造物として複数のＭＥＭＳ構造物ＭＳが配列形成されたウエハ１００に対し、図２（ｄ）のダイシング用シートＳＤを用いて、ダイシング処理を行うダイシング処理方法である。
【００４３】
ダイシング処理工程は、図４（ｇ）に示すように、開始：Ｓ１１から終了：Ｓ１８まで
８ステップを有し、開始：Ｓ１１と終了Ｓ１８との間に、６つの工程：Ｓ１２〜Ｓ１７を有する。これら６工程は、ダイシング用シート用意工程：Ｓ１２、ウエハ用意工程：Ｓ１３、ダイシング用シート貼り付け工程：Ｓ１４、ダイシング工程：Ｓ１５、エキスパンド工程：Ｓ１６およびピックアップ工程：Ｓ１７である。
【００４４】
ダイシング用シート用意工程：Ｓ１２は「ダイシング用シートＳＤを用意する工程」である。  
ウエハ用意工程：Ｓ１３は「複数のＭＥＭＳ構造物ＭＳが配列形成されたウエハ１００を用意する工程」である。  
ダイシング用シート貼り付け工程：Ｓ１４は「用意されたウエハ１００のＭＥＭＳ構造物ＭＳが配列された面に、ダイシング用シートＳＤを粘着により貼り付ける工程」である。
【００４５】
ダイシング工程：Ｓ１５は「ウエハ１００の、ダイシング用シートＳＤを貼り付けられた側と逆の側から、ダイシングを行う工程」である。  
エキスパンド工程：Ｓ１６は「ダイシング工程：Ｓ１５後にダイシング用シートＳＤをエキスパンドし、ダイシング用シートＳＤ上で個々のＭＥＭＳ構造物ＭＳを分離する工程」である。  
ピックアップ工程：Ｓ１７は「ダイシング用シートＳＤ上で、分離したＭＥＭＳ構造物ＭＳをチップとしてピックアップする工程」である。
【００４６】
なお、ダイシング用シート用意工程：Ｓ１２、ウエハ用意工程：Ｓ１３、ダイシング用シート貼り付け工程：Ｓ１４は、この順序で行う必要は必ずしもない。ウエハ用意工程：Ｓ１３、ダイシング用シート用意工程：Ｓ１２、ダイシング用シート貼り付け工程：Ｓ１１４の順で行ってもよい。  
ダイシング用シート用意工程：Ｓ１２で、図４（ａ）に示す如きダイシング用シートＳＤが用意され、ウエハ用意工程：Ｓ１３で、図４（ｂ）に示す如きウエハ１００が用意される。  
ダイシング用シート貼り付け工程：Ｓ１４では、用意されたウエハ１００にダイシング用シートＳＤが貼り付けられる。図４（ｃ）は、ダイシング用シート貼り付け工程：Ｓ１４でダイシング用シートＳＤが貼り付けられたウエハ１００の側から見た状態を示している。
【００４７】
ダイシング工程：Ｓ１６は、既存のダイシング装置により行うことができる。ダイシング装置は、種々のものが知られると共に市販され、これら市販のダイシング装置を適宜用いてダイシング処理を行ってよい。市販されているダイシング装置は、ダイシングのみならずエキスパンドやピックアップを行う機能も備えている。  
ここでは１例として、市販のステルスダイシング装置（浜松ホトニクス株式会社）を用い、ダイシングを「ステルスダイシング」で行う場合を例として説明する。
【００４８】
ステルスダイシングは、すでに公知であるので説明を省略する。  
図４（ｄ）は、ステルスダイシング装置のレーザ装置ＬＤＡからレーザビームＬＢを、ダイシング用シートＳＤを貼り付けた側と逆の側、即ち「ウエハ１００の裏面側」から照射してダイシングを行う状態を説明図として示している。  
レーザビームＬＢは、ウエハ１００の「厚み方向のウエハ内部」で集光する集束光とされ、集光部においてウエハ１００内に「改質部」を形成する。この改質部で個々のＭＥＭＳ構造物ＭＳを分離する。  
ウエハ１００には、多数のＭＥＭＳ構造物ＭＳが配列形成されているが、前述の如く、ＭＥＭＳ構造物（偏向ミラー）ＭＳは「ウエハ１００を貫通する部分」を有している。  
從って、ウエハ１００に形成された多数のＭＥＭＳ構造物の配列は、上記裏面側から見ても、表面側の配列と同一であり、従って、裏面側からダイシングを行うことができる。
【００４９】
ダイシング工程：Ｓ１５でダイシングが行われた状態では、前記「改質部」が分離ラインをなして形成されているが、個々のＭＥＭＳ構造物体はまだ個別に分離していない。  
この状態で、ステルスダイシング装置の有するエキスパンド機能により、図４（ｅ）に示すように、ダイシング用シートＳＤの面に平行な方向にエキスパンド力ＦＥＸを作用させる。  
エキスパンド力ＦＥＸの作用により、ダイシング用シートＳＤが引き延ばされ、個々のＭＥＭＳ構造物ＭＳが「改質部により形成された分離ライン」に沿って相互に分離する。
このように「ダイシング用シートＳＤ上で分離したＭＥＭＳ構造物ＭＳ」に対し、ステルスダイシング装置の有するピックアップ機能により、ピックアップ力ＰＦを作用させて、個々のＭＥＭＳ構造物ＭＳをチップとして取り出す。  
このようにして、図４（ｆ）の如く、所望のＭＥＭＳ構造物ＭＳを得ることができる。
【００５０】
ここで、ダイシング用シートの表側フィルムに開口形成された開口部を説明する。  
開口部は、表側フィルムの「ＭＥＭＳ構造物に相当する部分」が裏側フィルムの部分まで開口されて形成される。  
そして、ダイシング用シートは、ウエハのダイシング処理が行われるとき、ウエハのＭＥＭＳ構造物が配列された面に「ＭＥＭＳ構造物がダイシング用シートの開口部に合致する」ように粘着力により貼り付けられる。  
即ち、ダイシング用シートがウエハに貼り付けられた状態において、ダイシング用シートの表側フィルムの「粘着性を有する部分」、即ち、開口部以外の部分は、ＭＥＭＳ構造物に触れない。換言すれば、貼り付けられたダイシング用シートの「表側フィルムの有する粘着力」は、ＭＥＭＳ構造物には作用しない。  
從って、ピックアップ工程において、個々のＭＥＭＳ構造物を取り出すとき、ダイシング用シートの表面の有する粘着力の作用を受けることがなく、粘着力に起因するＭＥＭＳ構造物の機能低下や破壊を生じることがない。
【００５１】
もっとも、前述の如く、表側フィルムは薄いので、ダイシング用シートをウエハに貼り付ける作業に際に、裏シートの表面（開口部の底部をなす。）がＭＥＭＳ構造物に触れることはあり得る。  
しかし、ＭＥＭＳ構造物が直接、裏側フィルムの表面に触れたとしても、裏側フィルムの表面は粘着力が０であるか、もしくは小さいので、ＭＥＭＳ構造物の機能低下や破壊の原因とはならない。  
上記の如く、ダイシング用シートのウエハへの貼り付けは「ＭＥＭＳ構造物がダイシング用シートの開口部に合致する」ように行われる。  
このような条件を満たす開口部の形態は種々可能である。開口部の形態の３例を、図５に示す。ウエハおよびＭＥＭＳ構造物は、図１に即して説明したウエハ１００、ＭＥＭＳ構造物ＭＳを想定している。
【００５２】
図５（ａ）は、図２に即して説明したダイシング用シートＳＤ、ＳＤ１の開口部ＯＰの場合である。開口部ＯＰは、同一形状で、図の左右方向を長辺とする矩形形状であり、図の上下方向に「互いに平行に整列」するように形成されている。
【００５３】
開口部ＯＰの「幅（図の矩形形状の短辺）」は、図の上下方向におけるＭＥＭＳ構造物ＭＳの配列に合わせられている。このような開口部ＯＰでは、ＭＥＭＳ構造物ＭＳは、開口部ＯＰの内側に位置する。開口部ＯＰは、ウエハ１００におけるＭＥＭＳ構造物ＭＳ以外の部分にも開口しているが、この点は特に問題とならない。
【００５４】
図５（ｂ）に、開口形態の別の例として示された開口部ＯＰ１は、同一形状で、図の左右方向を長辺とする矩形形状であり、図の上下方向に「互いに平行に整列」するように形成されている。
【００５５】
開口部ＯＰ１は、開口部ＯＰよりも幅が大きく、ＭＥＭＳ構造物体の「横方向の配列」が、１個の開口部ＯＰ１内に２列配列している。
【００５６】
図５（ｃ）に示す形態例では、開口部ＯＰ２１、ＯＰ２２、・・ＯＰ２７は、図の左右方向を長辺とする矩形状で、図の上下方向に互いに平行に配列形成されている。
【００５７】
これら開口部ＯＰ２１、ＯＰ２２、・・ＯＰ２７は、その長辺の長さが一様ではなく、図の左右方向におけるＭＥＭＳ構造物ＭＳの配列長さに応じた長さとなっている。
【００５８】
「開口部の形態」は、表側フィルムの開口部以外の部分が、ウエハに形成されているＭＥＭＳ構造物に接触しなければ良いのであり、図５に示す３例に限らず、種々の変形が可能である。  
なお、表側フィルムは一般に「薄い」ので、開口部が複数形成されたままの状態では、開口部間のフィルム部分が「絡まり合う」ことが考えられるが、裏側フィルムを用いることにより、このような「絡まり合い」を有効に防止できる。
【００５９】
上に説明したダイシング用シートは、ウエハを粘着させる側の面に「開口部」が形成されている。
「開口部」を設ける技術的意義は、前述の如く、ダイシング用シートがウエハに貼り付けられた状態において、ＭＥＭＳ構造物に相当する開口部で、「粘着性を有する部分」がＭＥＭＳ構造物に触れないようにし、ダイシング処理に際して、ダイシング用シートの粘着力がＭＥＭＳ構造物に作用しないようにすることにある。
即ち、上記「開口部」は、ダイシング用シートをウエハに張り付けた状態において、ウエハのＭＥＭＳ構造物に相当する部分に、ダイシング用シートの粘着力が作用しないようにしている。「開口部」は、そもそもＭＥＭＳ構造物に相当する部分に接触しないから、この部分でダイシング用シートの粘着力がＭＥＭＳ構造物に作用することはない。  
ＭＥＭＳ構造物への粘着力の作用を阻害するには、開口部に限らない。
【００６０】
即ち、ダイシング用シートの「粘着性を有する面」とＭＥＭＳ構造物が接触状態にあっても、「ＭＥＭＳ構造物に接触する部分が非粘着性」であれば、上記粘着力の作用は阻害される。  
ダイシング用シートをウエハに張り付けた状態において、ＭＥＭＳ構造物に相当する部分に、ダイシング用シートの粘着力が作用しないようにするには、上記の如く「開口部」に限らず、ＭＥＭＳ構造物に相当する部分が「非粘着性」であればよい。  
「非粘着性である部分」は、上記開口部以外に、例えば「ウエハに粘着する面」の非粘着部とするべき部分に「シート状のマスキング部材」を設けることで実現できる。  
このようなマスキング部材としては、市販されている各種の「マスキングテープ」を好適に用いることができる。薄くてよく延びるマスキングテープとしては輸送梱包時の外装保護用途のものが多数存在する。
【００６１】
勿論、シート状のマスキング部材により「非粘着性の部分」を形成したダイシング用シートも、シート全体として「シート面に平行な方向へ延びること」ができる必要があるから、マスキング部材自体にも、シート面方向に平行な方向へ延びることが可能である必要がある。
即ち、上に説明した「開口部」と「シート状のマスキング部材」とは「非粘着性である部分の具体的な２態様」である。
【００６２】
シート状のマスキング部材により「非粘着性である部分を形成するシート」としては、従来から市販されている種々のダイシング用シートを用いることができる。  
あるいは、市販のベースシートに接着剤を塗布して接着剤層を形成し、この接着剤層上に市販のマスキングテープを張り付けて「非粘着性である部分」としてもよい。
【００６３】
このような場合のダイシング用シートの実施の１形態を、図６を参照して説明する。  
図６（ａ）がダイシング用シートＳＤ１を示す平面図であり、そのＢ−Ｂ断面図を図６（ｂ）に示す。図６（ｃ）はダイシング用シートＳＤ１にウエハ１００を粘着させた状態を示し、このときのダイシング用シートとウエハ１００の関係を部分的な説明図として図４（ｄ）に示す。
【００６４】
図６に示すダイシング用シートＳＤ１は、その断面図を示す図６（ｂ）のように、ベースフィルムＢＦの片面に粘着剤を塗布して粘着剤層ＡＬを形成し、粘着剤層ＡＬの上に、シート状のマスキング部材ＭＴを貼り付けて「非粘着性である部分」としたものである。
マスキング部材ＭＴはテープ片状であり、マスキングテープをテープ片に切断したものである。  
【００６５】
ダイシング用シートＳＤ１の粘着剤層ＡＬが形成された側に、図６（ｃ）のようにウエハ１００を載置すると、図６（ｄ）に示すように、ダイシング用シートＳＤ１の粘着剤層ＡＬの、マスキング部材ＭＴ（非粘着性である部分）以外の部分がウエハ１００に粘着するが、ウエハ１００に形成されているＭＥＭＳ構造物は、マスキング部材ＭＴにより「粘着層ＡＬへの粘着」が阻害される。
ダイシングおよび剥離、ピックアップに必要なエキスパンド性、粘着強度、ダイシング用シートの強度等々の各仕様は、ベースフィルムＢＦ、粘着剤層ＡＬを構成する粘着剤、マスキング部材ＭＴとして使用する材料の仕様を適正化することで対応できる。
【００６６】
マスキング部材ＭＴの伸縮性を、それ以外の部分（ベースフィルムＢＦと粘着剤層ＡＬで構成される部分）の伸縮性より大きく（伸縮し易く）することにより、ウエハ１００のダイシング後のエキスパンド工程の、エキスパンド特性が上記「それ以外の部分」のみでマスキング部材ＭＴが存在しないときと略同一になるように調整することができる。
【００６７】
図６には、マスキングテープのテープ片による「短冊形状のマスキング部材ＭＴ」により非粘着性の部分を形成する場合を示したが、「非粘着性である部分の形状」は、これに限らず、開口部を非粘着性である部分とする例として図５に例示したものや、そのほかにも、種々の形状が可能である。
図７には、別の例を示す。  
図７に示す例では、ウエハに配列形成されたＭＥＭＳ構造物ＭＳ（その一つ一つを「セグメント」と呼ぶ。）の配列に応じて、個々のセグメントに一つずつのマスキング部材ＭＴ１を対応させて、セグメントごとに非粘着性である部分（セグメントより一回り大きい）を形成した例である。この場合にも、ダイシング後のエキスパンド特性が、それ以外の部分のみである場合と略同一となるようにできる。
【００６８】
図７に示すセグメント配列における個々のセグメントを構成するＭＥＭＳ構造物ＭＳの形状は「長方形形状」であり、短辺方向における配列数が大きい。  
このようなセグメント配列において、個々のセグメントをダイシング（例えばステルスダイシング）により分離した後、エキスパンド工程で、個々のセグメントを分離するために、図７（ｂ）に示すようにエキスパンド力ＦＥ１、ＦＥ２（＝ＦＥ１）を作用させると、エキスパンドに応じて、個々のセグメントをなすＭＥＭＳ構造物ＭＳ相互の「クリアランス」は、短辺方向（図７（ａ）の上下方向）において大きく、長辺方向においては小さくなる。
【００６９】
このとき、個々のセグメントに応じた「非粘着性である部分」を形成するマスキング部材ＭＴ１の大きさをセグメントの形状に応じて長方形形状とし、且つ、マスキング部材ＭＴ１の伸縮性を粘着部以外の部分の伸縮性より小さく（伸びにくく）する。  
そして、マスキング部材の伸縮性を調整することにより、上記短辺方向・長辺方向におけるクリアランスを均等にしたり任意の幅に調整したりすることもできる。
なお、図６、図７に即して実施の形態を説明したダイシング用シートを用いるダイシング処理方法は、図４（ｇ）に示す工程図におけるダイシング用シート用意工程：Ｓ１２において、マスキング部材による「非粘着性である部分」を形成したダイシング用シートを用意し、このダイシング用シートを、ダイシング用シート貼り付け工程：Ｓ１４で、ウエハ１００に貼りつける点を変更すれば、図４（ｇ）に関する説明がそのまま成り立つ。
従って、ダイシング用シート貼り付け工程は、一般には、用意されたウエハのＭＥＭＳ構造物が配列された面に、ＭＥＭＳ構造物が前記ダイシング用シートの非粘着性である部分に合致するようにダイシング用シートを粘着により貼り付ける工程となる。
【００７０】
上述の如く、ＭＥＭＳ構造物は種々の構造が可能で、特に限定されない。上には１例として「２軸偏向型の偏向ミラー」の場合を説明したが、以下、２軸偏向型の偏向ミラーを例として説明を補足する。  
図８を参照する。  
図８（ａ）に示すＭＥＭＳ構造物としての偏向ミラーは、図１（ｂ）に即して説明したものであり、小型のミラーＭＬが軸ｊ１により内枠ＣＡに連結し、内枠ＣＡが軸ｊ２により外枠ＣＢに連結している。このような偏向ミラーＭＳが、同一ウエハに複数個、配列形成されている。  
図８（ａ）において、符号ＤＬで示す矩形形状はダイシングによる「分離ライン」であり、この分離ラインＤＬの内側がＭＥＭＳ構造物ＭＳであると言うことができる。
【００７１】
図８（ｂ）は、ウエハ１００に形成された３つのＭＥＭＳ構造物ＭＳが隣接して形成された状態を示している。  
図８（ｃ）は、図８（ｂ）に示すＭＥＭＳ構造物の配列に対応したダイシング用シートＳＤの一部に形成された開口部ＯＰの配列を示している。この例において、開口部ＯＰは、図８（ａ）に示す偏向ミラーの外枠ＣＢの「外周による矩形の形状」に合致している。従って、図８（ｃ）のダイシング用シートＳＤをウエハ１００に張り付けて、粘着性の部分が「外枠ＣＢの内側の部分」に接触しないようにできる。
【００７２】
図８（ｄ）は、図５（ｃ）に即して説明した例における開口部ＯＰ２１の１例であり、開口部ＯＰ２１は、図８（ｂ）に示す３つの偏向ミラーＭＳの「外枠ＣＢの内側の部分」に重ならないように形成されている。この場合も、ダイシング用シートＳＤの粘着性の部分は、偏向ミラーＭＳの「外枠ＣＢの内側の部分」に接触しない。
【００７３】
上の説明は、開口部（非粘着性である部分）と偏向ミラーとの関係の１例であるが、これに限らない。  
例えば、図８（ａ）に示す例において、外枠ＣＢの外側は分離ラインＤＬに合致することもできる。この場合には、隣接して形成された偏向ミラーを分離する分離ラインＤＬが、偏向ミラーＭＳの外枠の外周となる。このような場合、ダイシング用シートＳＤの粘着性を有する部分は、外枠ＣＢに接触して粘着してもよい。  
ダイシング用シートの粘着力がＭＥＭＳ構造物に影響するのは、ダイシング工程後のエキスパンド工程とピッキング工程であり、特にピッキング工程で粘着力の作用が大きい。
【００７４】
実用上の観点からすると、粘着力が「小型のミラーＭＬに作用しない」ようにすれば、ＭＥＭＳ構造物に対する粘着力の影響を回避でき。この観点からすると、ダイシング用シートの非粘着性である部分は、偏向ミラーのミラーＭＬの部分に相当する部分であればよい。
【００７５】
以上のように、この発明によれば、以下の如き新規な「ダイシング用シートおよびその製造方法およびダイシング処理方法」を実現できる。
【００７６】
［１］
複数のＭＥＭＳ構造物（ＭＳ）が配列形成されたウエハ（１００）の、前記ＭＥＭＳ構造物を個別のチップに分割するダイシングに用いられるダイシング用シート（ＳＤ、ＳＤ１）であって、少なくとも一方の表面は、粘着性を有するとともに、前記ＭＥＭＳ構造物に相当する部分は非粘着性であり、シート面に平行な方向へ伸びることが可能であるダイシング用シート（図２、図６、図７）。
【００７７】
［２］
［１］記載のダイシング用シートであって、２種以上のフィルム（ＦＵ、ＦＬ  ＦＬ１、ＦＬ２）が重なって単一のシート（ＳＤ、ＳＤ１）として一体化し、前記シートの一方の面をなす表側フィルム（ＦＵ、ＦＵ１）は、表面側が前記ウエハに粘着する粘着性を有し、前記シートの他方の面をなす裏側フィルム（ＦＬ、ＦＬ１）は、面法線方向の粘着力が０または小さく、前記表側フィルムは、前記ＭＥＭＳ構造物に相当する部分が、前記裏側フィルムの部分まで開口された開口部（ＯＰ）を有するダイシング用シート（図２）。
【００７８】
［３］
［２］記載のダイシング用シートであって、前記表側フィルム（ＦＵ１）と前記裏側フィルム（ＦＬ１）との２枚のフィルムが重なって単一のシート（ＳＤ１）に一体化し、前記表側フィルムは、フィルム基材の表面側に粘着剤層（ＡＤ２）を有し、前記裏側フィルム（ＦＬ１）は自己粘着性であり、該自己粘着性により前記表側フィルムの裏面に弱く粘着して前記表側フィルムと一体化しているダイシング用シート（図２）。
【００７９】
［４］
［２］記載のダイシング用シートであって、前記表側フィルム（ＦＵ１）と前記裏側フィルム（ＦＬ１）との２枚のフィルムが重なって単一のシート（ＳＤ１）に一体化し、前記表側フィルム（ＦＵ１）は、フィルム基材（ＢＳ）の両面に粘着剤層（ＡＤ１、ＡＤ２）を有し、前記裏側フィルム（ＦＬ１）は粘着性がなく、前記表側フィルムの裏面側の前記粘着剤層の粘着性により該表側フィルムの裏面側に粘着して一体化しているダイシング用シート（ＳＤ１）（図２）。
【００８０】
［５］
［１］記載のダイシング用シートであって、前記ウエハ（１００）に粘着する側の面に、シート状のマスキング部材（ＭＴ）が一体化して設けられて前記非粘着性である部分をなし、前記マスキング部材（ＭＴ）が、シート面に平行な方向へ伸びることが可能であるダイシング用シート（図６）。
【００８１】
［６］
［５］記載のダイシング用シート（ＳＤ２）であって、前記マスキング部材（ＭＴ）の伸縮性が、前記マスキング部材以外の部分の伸縮性より大きいダイシング用シート。
【００８２】
［７］
［５］または［６］に記載のダイシング用シートであって、前記マスキング部材（ＭＴ）がテープ片状であるダイシング用シート（図６）。
【００８３】
［８］
［２］〜［４］の何れか１に記載のダイシング用シート（ＳＤ、ＳＤ１）を製造する方法であって、前記表側フィルムを用意する表側フィルム用意工程（Ｓ２）と、前記表側フィルムの、前記ＭＥＭＳ構造物に相当する部分を開口して貫通させる開口形成工程（Ｓ３）と、前記裏側フィルムを用意する裏側フィルム用意工程（Ｓ４）と、前記表側フィルムと前記裏側フィルムとを重ね、単一のシートとして一体化する一体化工程（Ｓ５）と、を有するダイシング用シートの製造方法（図３）。
【００８４】
［９］
複数のＭＥＭＳ構造物が配列形成されたウエハの、前記ＭＥＭＳ構造物を個別のチップに分割するダイシング処理方法であって、請求項１〜７の何れか１項に記載のダイシング用シートを用意するダイシング用シート用意工程（Ｓ１２）と、複数のＭＥＭＳ構造物が配列形成されたウエハを用意するウエハ用意工程（Ｓ１３）と、用意された前記ウエハの前記ＭＥＭＳ構造物が配列された面に、前記ＭＥＭＳ構造物が前記ダイシング用シートの前記非粘着性である部分に合致するように前記ダイシング用シートを粘着により貼り付けるダイシング用シート貼り付け工程（Ｓ１４）と、前記ウエハの、前記ダイシング用シートを貼り付けられた側と逆の側から、ダイシングを行うダイシング工程（Ｓ１５）と、該ダイシング工程後に前記ダイシング用シートをエキスパンドして、前記ダイシング用シート上で個々のＭＥＭＳ構造物を分離するエキスパンド工程（Ｓ１６）と、前記ダイシング用シート上で、分離したＭＥＭＳ構造物をチップとしてピックアップするピックアップ工程（Ｓ１７）と、を有するダイシング処理方法（図４）。
【００８５】
［１０］
［９］記載のダイシング処理方法であって、ダイシング工程をステルスダイシングで行うダイシング処理方法（図４）。
【００８６】
以上、発明の好ましい実施の形態について説明したが、この発明は上述した特定の実施形態に限定されるものではなく、上述の説明で特に限定していない限り、特許請求の範囲に記載された発明の趣旨の範囲内において、種々の変形・変更が可能である。  
例えば、ダイシング用シートは、表側フィルムや裏側フィルムがそれ自体「複数のフィルムの重なり」で構成され、ダイシング用シートが構造上の３層以上のフィルム層で構成されてもよい。
【００８７】
あるいは、裏側フィルムの「表側フィルムと逆の側」に、例えば「補強用フィルム層」を形成することもできる。
【００８８】
この発明の実施の形態に記載された効果は、発明から生じる好適な効果を列挙したに過ぎず、発明による効果は「実施の形態に記載されたもの」に限定されるものではない。
【符号の説明】
【００８９】
ＳＤ        ダイシング用シート  
ＦＵ        表側フィルム  
ＦＬ        裏側フィルム  
ＯＰ        開口部  
１００      ウエハ（シリコンウエハ）
ＭＳ        ＭＥＭＳ構造物  
【先行技術文献】
【特許文献】
【００９０】
【特許文献１】特開２０１１−１１９５４８号公報
【図１】
2017076791.tif 000003
【図２】
2017076791.tif 000004
【図３】
2017076791.tif 000005
【図４】
2017076791.tif 000006
【図５】
2017076791.tif 000007
【図６】
2017076791.tif 000008
【図７】
2017076791.tif 000009
【図８】
2017076791.tif 000010